(57)【要約】【課題】ホテルおよびコンビニエンス・ストアのスタッフの時間効率を向上させる。【解決手段】ホテル建物は、コンビニエンス・ストアの商品棚領域とホテルのフロント領域とを同一フロアに設け、前記コンビニエンス・ストアの会計カウンタと前記ホテルの受付カウンタとを、同一スタッフが該会計カウンタおよび該受付カウンタを担当することができるよう連続的に配置し、ホテルとコンビニエンス・ストアとを一体化する。コンビニエンス・ストアで購入した食品を食するための少なくとも１つのテーブルおよび複数の椅子を備えたテーブル領域がホテルのフロント領域の近くに配置されている。【選択図】図１
2005133448.tif 000002
【特許請求の範囲】
【請求項１】
コンビニエンス・ストアの商品棚領域とホテルのフロント領域とを同一フロアに設け、前記コンビニエンス・ストアの会計カウンタと前記ホテルのフロントカウンタとを、同一スタッフが該会計カウンタおよび該受付カウンタを担当することができるよう連続的に配置し、コンビニエンス・ストアと一体化したホテル建物。
【請求項２】
コンビニエンス・ストアの商品棚領域とホテルのフロント領域とを同一フロアに設け、前記コンビニエンス・ストアの会計カウンタと前記ホテルのフロントカウンタとを、同一スタッフが該会計カウンタおよび該受付カウンタを担当することができるよう連続的に配置し、前記コンビニエンス・ストアで購入した食品を食するための少なくとも１つのテーブルおよび複数の椅子を備えたテーブル領域が前記フロント領域の近くに配置されている、コンビニエンス・ストアと一体化したホテル建物。
【請求項３】
セルフサービスのランドリーが前記同一フロアに設けられている、請求項１または２に記載のホテル建物。
【請求項４】
前記フロント領域または前記テーブル領域の近くに共用トイレが設けられている請求項３に記載のホテル建物。
【請求項５】
前記フロント領域から前記ホテルの客室領域に通じるドアは、該ホテルの客室のカードキーで開くことができるオートロック・ドアで構成されている、請求項１または２に記載のホテル建物。
【請求項６】
客室フロアに通じるエレベータが前記ドアの客室領域側の中に設けられている請求項５に記載のホテル建物。
【発明の詳細な説明】
【技術分野】
【０００１】
この発明は、ホテル建物およびコンビニエンス・ストアに関し、具体的にはコンビニエンス・ストアと一体化したホテル建物に関する。
【背景技術】
【０００２】
ビジネスホテル、エコノミーホテルなど比較的低価格でサービスを提供するホテルに対する需要が増大している。これらのホテルは、宿泊客に食事を提供するレストラン、喫茶室などが設けられている。また、中にはホテルにテナントとしてコンビニエンス・ストアを入居させているものもある。
【０００３】
ビジネスホテル、エコノミーホテルは、客室数が数十から百数十程度の小規模のものが多い。このような小規模なホテルであっても、深夜に到着したり出入りする客に対応するため、スタッフが２４時間体制で勤務する必要がある。また、防災、警備上の法的規制によりスタッフが２４時間体制でホテルに詰めている必要がある。これらのスタッフは、実際上の業務は少ないにもかかわらず長時間の勤務をすることになり、ホテルの運営費を増大させる原因となっている。
【０００４】
コンビニエンス・ストア（以下、コンビニと略す）は、いわゆる中食、スナック類、日用品などを購入することができることから、旅行者にとっては極めて利用価値が高い。したがって、比較的小規模のホテルにとって、コンビニは利用価値の高い存在になる。近年、コンビニの営業時間が長くなり、２４時間開店のコンビニが増えている。このようなコンビニでも深夜、早朝の利用者はわずかであり、スタッフは業務量が小さいにもかかわらず長時間勤務することになり、効率は必ずしもよくない。
【発明の開示】
【発明が解決しようとする課題】
【０００５】
したがって、ホテルのスタッフの時間効率を向上させる必要性が存在する。また、２４時間営業のコンビニのスタッフの時間効率を向上させる必要性が存在している。
【課題を解決するための手段】
【０００６】
上記の課題を解決するため、この発明のホテル建物は、コンビニの商品棚領域とホテルのフロント領域とを同一フロアに設け、前記コンビニの会計カウンタと前記ホテルの受付カウンタとを、同一スタッフが該会計カウンタおよび該受付カウンタを担当することができるよう連続的に配置し、ホテルとコンビニとを一体化する。
【０００７】
この発明の一形態では、前記コンビニで購入した食品を食するための少なくとも１つのテーブルおよび複数の椅子を備えたテーブル領域がホテルのフロント領域の近くに配置されている。
【発明の効果】
【０００８】
この発明によると、コンビニの会計カウンタとホテルの受付カウンタとが、同一スタッフが両方のカウンタを担当することができるよう連続的に配置されているので、コンビニ、ホテルともに客のカウンタ利用が少ない深夜などの時間帯においては、同じスタッフがコンビニの会計カウンタとホテルの受付カウンタの両方を受け持つことができ、スタッフの利用率を向上させることができ、ホテルおよびコンビニの費用を低減することができる。
【０００９】
また、この発明の一形態（請求項２）によると、コンビニで購入した食品を食するための少なくとも１つのテーブルおよび複数の椅子を備えたテーブル領域がホテルのフロント領域の近くに配置されているので、ホテルの宿泊客は、コンビニでコーヒー、牛乳、ジュース、サンドイッチ、おにぎりなどを買い、テーブル領域で朝食、昼食などの食事をとることができる。この形態をとることにより、ホテルのレストランの省力化を図ることができる。また、これにより、一般に利用率の低い早朝のコンビニの利用率を高めることができ、スタッフ共用による費用の低減に加えて、ホテルおよびコンビニ双方の運営効率を高めることができる。
【００１０】
さらに、この発明の他の形態によると、コンビニの利用者がホテルのテーブル領域、またはトイレを使うことができるので、コンビニの利便性が高められる。ホテルの入り口とコンビニの入り口を共用にすることもできる。
【００１１】
また、この発明の一形態によると、ホテルのフロント領域からホテルの客室領域に通じるドアは、ホテルの客室のカードキーで開くことができるオートロック・ドアで構成されている。すなわち、ドアは、開いた後、わずかな時間をおいて自動的にロックされる。これにより、コンビニとホテルの客室領域が遮断され、コンビニの利用者がホテルの客室領域に入ることが防止され、ホテルのセキュリティを確保することができる。
【発明を実施するための最良の形態】
【００１２】
次に図面を参照して、この発明の実施形態を説明する。図１は、この発明の一実施例のホテルとコンビニを一体化したフロアのレイアウトを示す平面図である。フロント領域１０と同じフロアにコンビニ領域２０が設けられている。コンビニ領域２０には、複数の商品棚２３が設置されている。図２は、図１のホテルのエントランス２５からカウンタ１１方向を見た斜視図である。
【００１３】
フロント領域１０には、客の受付を行うホテルのフロントカウンタ１１が設けられており、その近くには自動チェックイン機１３が設置されている。カウンタ１１で記帳をすませた宿泊客は、自動チェックイン機１３で宿泊料金をクレジットカードまたは現金で支払う。これに応じて自動チェックイン機１３は、その宿泊客に割り当てられた客室のカードキーを発行する。自動チェックイン機１３は、外国からの客に備えて複数の外国語に対応するよう設計されている。したがって、ホテルのフロント係が外国語に堪能でなくても外国からの宿泊客に対応することができる。
【００１４】
フロントカウンタ１１に連続してコンビニ領域２０に会計カウンタ２１が設けられている。したがって、カウンタ内のスタッフは、コンビニの会計カウンタ２１およびフロントカウンタ１１の両方の業務に従事することができる。特に深夜など、ホテル、コンビニ双方ともに客の出入りが少ない時間帯においては、一人または二人のスタッフがホテルカウンタ１１とコンビニのカウンタ２１の両方を担当することによる効率向上効果が大きい。
【００１５】
フロント領域１０には、宿泊客が荷物の整理をしたり、書類の記入などに使うためのアライバル・コーナー１２が設けられており、その近くには、宿泊客およびコンビニの利用者がコンビニで購入した食品、飲み物などを飲食するためのラウンジまたはイートイン・コーナーが設けられており、テーブル１５および複数の椅子１７が配置されている。
【００１６】
また、その隣の領域にはビジネスカウンタ１９が設けられている。ビジネスカウンタ１９には、ノートパソコン用の電源を提供するコンセントが複数設けられており、カウンタ１９の近くにに無線通信のアクセスポイントが設けられている。宿泊客および一般の利用者は、自己のパソコンをカウンタ１９に持ち込んでコンセントに接続し、無線通信でインターネットに接続し、電子メールの送受信を行うなどビジネスを遂行することができる。このようなビジネスカウンタを設けることにより、それぞれの客室に電話線またはLANケーブルをひく必要がなくなり、ホテルの設備投資を低減させることができる。
【００１７】
一実施例では、フロント領域１０の近くに、セルフサービスのランドリー３１が配置されている。このランドリーはホテルの宿泊客のほかにコンビニの利用者など一般の人が使用することができるので、ホテルの宿泊客専用のランドリーに比べて高い利用率をえることができる。
【００１８】
また、もう一つの実施例では、フロント領域の奥に共用トイレ３３が設けられており、ホテルの宿泊客のほかにコンビニの利用者が使うことができる。
【００１９】
ホテルには客室領域４０があり、フロント領域１０と客室領域４０とは、オートロックのドア４１で分離されている。一実施例では、ドア４１は、フロント領域側からは、客室のカードキーをドア横に設けられているカードリーダのスロットに差し込むことにより開くことができる。ドア４１は、客室領域側からは、カードキーを使うことなく、たとえばドアノブを回すことにより開くことができる。こうして、客室領域４０は、コンビニ領域２０につながるフロント領域１０から分離されるので、セキュリティが確保される。
【００２０】
ドア４１の近くの客室領域４０にエレベータ４３が配置されている。エレベータ４３は、上層の階の客室領域に通じている。また、上の階に通じる階段４５が客室領域４０に設けられている。このように、客室領域４０は、オートロック・ドア４１によってホテルのフロント領域１０およびコンビニ領域２０から分離され、客室に通じるエレベータおよび階段もドア４１に対して客室領域側にあるので、宿泊客以外の人間が客室領域に入ることが制限され、セキュリティが確保される。
【図面の簡単な説明】
【００２１】
【図１】この発明の一実施例のコンビニホテルのフロント領域、コンビニ領域周りのレイアウトを示す平面図。
【図２】図１のコンビニホテルのエントランスからフロントカウンタ方向を見た斜視図。
【符号の説明】
【００２２】
１０        ホテルのフロント領域
１１        フロントカウンタ
２０        コンビニ領域
２１        コンビニの会計カウンタ
【図１】
2005133448.tif 000003
【図２】
2005133448.tif 000004